(57)【要約】【課題】上下方向にコンパクトに構成することができる引戸錠を提供する。【解決手段】引き戸２に設けられる引戸錠であって、  戸枠４に設けた被掛合部１５ａに引っ掛けられる引掛部材３１と、引き戸２の開閉方向に移動自在に設けられていて引き戸２を閉めた際に磁力の吸引作用によって引き戸２の閉方向に移動するスライド部材３０とを備え、前記引掛部材３１はスライド部材３０の側方に該スライド部材３０に沿って配置されると共に該スライド部材３０に揺動自在に支持されており、引掛部材３１に被ガイド部４７が設けられ、引き戸２を閉め動作した際において、引掛部材３１が被掛合部１５ａに引っ掛け可能な位置までスライド部材３０と共に直線的に移動し、引掛部材３１が被掛合部１５ａに引っ掛け可能な位置で該引掛部材３１が揺動軸心廻りに揺動して被掛合部１５ａに引っ掛かるように前記被ガイド部４７をガイドするガイド部４６を備えている。【選択図】図１
2005163501.tif 000002
【特許請求の範囲】
【請求項１】
引き戸（２）に設けられる引戸錠であって、
戸枠（４）に設けた被掛合部（１５ａ）に引っ掛けられる引掛部材（３１）と、引き戸（２）の開閉方向に移動自在に設けられていて引き戸（２）を閉めた際に磁力の吸引作用によって引き戸（２）の閉方向に移動するスライド部材（３０）とを備え、前記引掛部材（３１）はスライド部材（３０）に隣接し且つ該スライド部材（３０）に沿って配置されると共に該スライド部材（３０）に揺動自在に支持されており、引掛部材（３１）に被ガイド部（４７）が設けられ、引き戸（２）を閉め動作した際において、引掛部材（３１）が被掛合部（１５ａ）に引っ掛け可能な位置までスライド部材（３０）と共に直線的に移動し、引掛部材（３１）が被掛合部（１５ａ）に引っ掛け可能な位置で該引掛部材（３１）が揺動軸心廻りに揺動して被掛合部（１５ａ）に引っ掛かるように前記被ガイド部（４７）をガイドするガイド部（４６）を備えていることを特徴とする引戸錠。
【請求項２】
ガイド部（４６）は、引き戸（２）の開閉方向に形成されていて引掛部材（３１）が被掛合部（１５ａ）に引っ掛け可能な位置までスライド部材（３０）と共に直線的に移動するように被ガイド部（４７）をガイドする直線部（４６ａ）と、該直線部（４６ａ）に対して傾斜するように形成されていて引掛部材（３１）が被掛合部（１５ａ）に引っ掛け可能な位置で引掛部材（３１）が揺動軸心廻りに揺動して被掛合部（１５ａ）に引っ掛かるように被ガイド部（４７）をガイドする傾斜部（４６ｂ）とから構成されていることを特徴とする請求項１に記載の引戸錠。
【請求項３】
引き戸（２）に設けられた引き手（６，７）に解錠レバー（２７）を設け、この解錠レバー（２７）を引き戸（２）の開方向に押動することによりスライド部材（３０）を引き戸の開方向に移動させるように構成したことを特徴とする請求項１又は２に記載の引戸錠。
【請求項４】
スライド部材（３０）は、引き戸（２）を閉めたときに前進して引き戸（２）から突出する本体部（４８）と、この本体部（４８）の上部後方側に位置されていると共に付勢部材（５２）によってスライド部材（４８）を後退させる方向に付勢されるバネ受部（４９）とを備え、前記本体部（４８）の側方に引掛部材（３１）が配置され、本体部（４８）の後方側に、前記バネ受部（４９）の下側に位置していて前後移動自在に配置された操作部（８８）と、該操作部（８８）を後退させることにより前記バネ受部（４９）を押圧して磁力の吸引力に抗してスライド部材（３０）を後退させる押圧部（５８）とを有する押動部材（５６）が配置されていることを特徴とする請求項１〜３のいずれかに記載の引戸錠。
【発明の詳細な説明】
【技術分野】
【０００１】
本発明は、引戸錠に関するものである。
【背景技術】
【０００２】
従来、引き戸を勢いよく閉めたときに、該引き戸が戸枠側にぶつかって跳ね返るのを防止するために、引き戸を閉めたときに自動的に施錠されるようにした引戸錠がある（特許文献１参照）。
この引戸錠は、引き戸の閉方向端面側に形成された彫り込み穴に収納状に設けられた錠ケースと、この錠ケース内に引き戸の開閉方向（前後方向）に移動自在に収納されたスライド部材と、前記錠ケース内に収納されていて引き戸を閉めたときに錠ケースから突出して戸枠側に設けられた被掛合部に引っ掛けられる引掛部材とを有する。
【０００３】
スライド部材の前部には磁石が内蔵されており、引き戸を閉めたときに、スライド部材に設けられた磁石と戸枠側に固定状に設けられた磁石との間で生じる磁力の吸引作用によってスライド部材は引き戸の閉方向に移動して錠ケースから突出するように構成されている。
また、引掛部材は、スライド部材の側方に配置されていて、その上下方向中途部がスライド部材に左右方向（引き戸の厚さ方向）の枢軸を介して前後揺動自在に枢支連結されており、引掛部材の下部には鎌状の引掛け部が設けられ、引掛部材の上部の後面側は錠ケースに固定状に設けられた左右方向の支軸に接当しており、引き戸を閉めたときにスライド部材が引き戸の閉方向に移動することにより、前記枢軸によって引掛部材の中途部が前方に押動されて、引掛け部が被掛合部に引っ掛かるように引掛部材が揺動し、これによって自動的に施錠されるように構成されている。
【０００４】
また、スライド部材の下方側には、引き戸を閉めた状態において、スライド部材が後戻りしないようにスライド部材の引き戸開方向の移動を規制するロック部材が設けられ、このロック部材は、引き戸を閉めたときに自動的にスライド部材に係合し、引き戸の引き手内に設けられた解錠レバーを左右方向内方側に押し込むことにより、前記ロック部材のロックが外れるように構成されており、この解錠レバーを押し込んだまま、引き戸を開方向に引くことにより、引掛け部が被掛合部から外れて引き戸を開くことができると共に、スライド部材及び引掛部材がバネの付勢力によって元の位置に戻るように構成されている。
【特許文献１】特開２０００−２６５７３０号公報
【発明の開示】
【発明が解決しようとする課題】
【０００５】
前記従来の引戸錠にあっては、スライド部材によって引掛部材の中途部を枢軸を介して押動して引掛部材の下部側の引掛け部を前方に揺動させるようにしているので、引掛部材は上下方向に配置されており、また、スライド部材の下方側にロック部材が設けられていることもあって、引戸錠は上下方向に大型化し、引戸錠を引き戸内に収納させるのに、引き戸を上下方向に大きく彫り込む必要があり、彫り込み穴の開口面積が大きくなるという問題がある。
そこで、本発明は、前記問題点に鑑みて、コンパクトに構成できる引戸錠を提供することを目的とする。
【課題を解決するための手段】
【０００６】
本発明が前記目的を達成するために講じた技術的手段は、引き戸に設けられる引戸錠であって、
戸枠に設けた被掛合部に引っ掛けられる引掛部材と、引き戸の開閉方向に移動自在に設けられていて引き戸を閉めた際に磁力の吸引作用によって引き戸の閉方向に移動するスライド部材とを備え、前記引掛部材はスライド部材に隣接し且つ該スライド部材に沿って配置されると共に該スライド部材に揺動自在に支持されており、引掛部材に被ガイド部が設けられ、引き戸を閉め動作した際において、引掛部材が被掛合部に引っ掛け可能な位置までスライド部材と共に直線的に移動し、引掛部材が被掛合部に引っ掛け可能な位置で該引掛部材が揺動軸心廻りに揺動して被掛合部に引っ掛かるように前記被ガイド部をガイドするガイド部を備えていることを特徴とする。
【０００７】
これによって、引戸錠をコンパクトに構成することができ、引戸錠を収容する彫り込み穴の開口面積を小さくすることができる。
また、ガイド部は、引き戸の開閉方向に形成されていて引掛部材が被掛合部に引っ掛け可能な位置までスライド部材と共に直線的に移動するように被ガイド部をガイドする直線部と、該直線部に対して傾斜するように形成されていて引掛部材が被掛合部に引っ掛け可能な位置で引掛部材が揺動軸心廻りに揺動して被掛合部に引っ掛かるように被ガイド部をガイドする傾斜部とから構成されているのがよい。
【０００８】
また、引き戸に設けられた引き手に解錠レバーを設け、この解錠レバーを引き戸の開方向に押動することによりスライド部材を引き戸の開方向に移動させるように構成するのがよい。
従来の引戸錠にあっては、解錠レバーを左右方向内方側に押し込んでロック部材のロックを外した後に、引き戸を開方向（後方）に引くという操作をしなければならないが、解錠レバーを引き戸の開方向に押動することでライド部材を引き戸の開方向に移動させるように構成することにより、解錠レバーを引き戸の開き方向に押動するだけで引戸錠を解錠すると同時に引き戸を開方向に移動させることができ、操作性がよい。
【０００９】
スライド部材は、引き戸を閉めたときに前進して引き戸から突出する本体部と、この本体部の上部後方側に位置されていると共に付勢部材によってスライド部材を後退させる方向に付勢されるバネ受部とを備え、前記本体部の側方に引掛部材が配置され、本体部の後方側に、前記バネ受部の下側に位置していて前後移動自在に配置された操作部と、該操作部を後退させることにより前記バネ受部を押圧して磁力の吸引力に抗してスライド部材を後退させる押圧部とを有する押動部材が配置されているのがよい。
これにより、引戸錠をコンパクトに構成できる。
【発明の効果】
【００１０】
本発明によれば、引戸錠をコンパクトに構成できる。
【発明を実施するための最良の形態】
【００１１】
以下、本発明の実施の形態を図面を参照して説明する。
図３において、１は引き戸を施錠する錠機構であり、該錠機構１は、引き戸２に設けられた引戸錠３と、戸枠４に設けられた受け装置５とから主構成されている。
なお、以下の説明において、引き戸２の厚さ方向を左右方向といい、引き戸２側に設けられた部材に関して引き戸２の閉方向を前方というと共に開方向を後方といい、戸枠４側に設けられた部材に関して引き戸２の開方向を前方というと共に閉方向を後方という。
引き戸２の閉方向端部側には、図６及び図７に示すように、引き戸２の室内側に配置された内側引き手６と、引き戸２の室外側に配置された外側引き手７とが取り付けられている。
【００１２】
引き戸２の、内外各引き手６，７を取り付ける部分には、左右方向に貫通する貫通孔８が形成され、内外各引き手６，７は、前記貫通孔８に没入状に嵌合される凹設部９と、この凹設部９の外周縁全周から張り出されて引き戸２の表面に面接状に接当する座部１０とを有する。
内外各引き手６，７の凹設部９の下部側は、上部側よりも貫通孔８の奥側に一段深く凹設されていて手を掛けるための手掛け部１１とされ、内側引き手６の凹設部９の裏面（左右方向内面）には、上下一対の取付筒１２が設けられ、この取付筒１２の内周側の孔はネジ孔とされていて、ネジ２４を外側引き手７の凹設部９を貫通して前記取付筒１２に螺合することによって、内外両引き手６，７が引き戸２を挟み込むようにして取り付けられている。
【００１３】
受け装置５は、図１及び図２に示すように、正面側のカバープレート１３と、引き戸２の閉方向端面に対向する戸枠４の縦框に形成された彫り込み穴に収納状とされて設けられた受け箱１４と、被掛合部材１５等とを備えている。
受け箱１４は、上下壁１６ａ，１６ｂ、左右側壁１６ｃ、背面壁１６ｄを備えていて正面側が開放状とされた箱本体１６と、該箱本体１６の上壁１６ａの正面側端部から上方に延びる上取付壁１７ａと、箱本体１６の下壁１６ｂの正面側端部から下方に延びる下取付壁ｂとを備えている。
【００１４】
カバープレート１３は受け箱１４の正面側を覆うように設けられ、上下方向中途部には矩形状の開口部１８が形成され、上下にはネジ挿通孔１９が貫通形成され、この上下のネジ挿通孔１９及び受け箱１４の上下の取付壁１４ａ，１４ｂに形成された切欠き部２０を挿通して戸枠４にねじ込まれるねじにより、受け箱１４とカバープレート１３とが上下方向相対位置調整可能に戸枠４に取り付けられている。
また、受け箱１４の背面壁１６ｄの上下方向中途部には磁石２１が内蔵されている。
被掛合部材１５はプレートによって形成され、受け箱１４内の上部に配置されており、この被掛合部材１５の上部には、調整ネジ２２が貫通し且つ螺合されている。
【００１５】
この調整ネジ２２は、後端側が背面壁１６ｄに、前端側が受け箱１４内に設けられた支持部材２３に、それぞれ前後方向の軸心廻りに回動可能に支持されていて、該調整ネジ２２が前後方向位置移動不能で前後方向の軸心廻りに回動自在に設けられており、調整ネジ２２を軸心廻りに回動させることにより、被掛合部材１５の前後位置が調整可能とされている。
また、調整ネジ２２の前端側には該調整ネジ２２を軸心廻りに回動操作するための調整操作部２２ａが設けられ、この調整操作部２２ａはカバープレート１３に設けられた長孔２５内に位置しており、外部から被掛合部材１５の前後位置調整が可能とされている。
【００１６】
被掛合部材１５の下部は、前方側に延出されると共にカバープレート１３の開口部１８内で下方に延出されるように折曲されており、この被掛合部材１５の下部が被掛合部１５ａとされている。
引戸錠３は、錠本体２６と解錠レバー２７とロック装置２８とを有する。
錠本体２６は、図１〜図５に示すように、引き戸２の閉方向端面側に形成され且つ前記貫通孔８に連通する彫り込み穴に収納状に設けられた錠ケース２９と、この錠ケース２９内に前後方向移動自在に収納されたスライド部材３０と、前記錠ケース２９内に収納されていて引き戸２を閉めたときに錠ケース２９から突出して戸枠４側に設けられた被掛合部１５ａに引っ掛けられる引掛部材３１とを有する。
【００１７】
錠ケース２９は、中空状で前方に開放状とされており（前方に開放状で且つ背面が閉塞錠とされた筒状とされており）、背面視において上下方向に長い楕円形状を呈している。
また、この錠ケース２９は左右に二つ割りに形成されており、この錠ケース２９の左右のケース構成部材２９ａ，２９ｂは取付ネジ３２等によって相互に固定されている（図５（ａ）参照）。
また、錠ケース２９の後部側は、内外の引き手６，７間の上下方向中途部に位置している。
【００１８】
この錠ケース２９の前面側には、該錠ケース２９の前端開口を覆うように取付壁３３が設けられ、この取付壁３３の前方側にはフロントプレート３４が配置されており、これら取付壁３３及びフロントプレート３４の上下部には、両者を貫通するネジ挿通孔３５が形成され、このネジ挿通孔３５を挿通して引き戸２にねじ込まれるネジによって錠ケース２９が取付固定されている。
取付壁３３及びフロントプレート３４の上下方向中途部には、スライド部材３０が通過可能な開口部３６と、引掛部材３１が通過可能な開口部３７とが、左右方向で隣接し且つ連通するように形成されている。
【００１９】
錠ケース２９内の後部側の上下方向中途部には、左右一方（右側）のケース構成部材２９ｂの側壁から左右方向に延びる支持壁３８が設けられ、この支持壁３８の後部側は錠ケース２９の左右方向に亘る幅に形成され、前部側は左側が所定範囲切り欠かれた幅に形成されている。
錠ケース２９内の前後方向中途部の上部側には、一方のケース構成部材２９ｂに設けられたバネ受け壁３９が配置されている。
また、一方のケース構成部材２９ｂの後部壁上部４０ａは厚肉に形成され、一方のケース構成部材２９ｂの後部壁下部４０ｂにはバネ受部４１が設けられている。
【００２０】
錠ケース２９の後部側下部には、一方のケース構成部材２９ｂの側壁の上下方向中途部から錠ケース２９の底部を経て左右他方（左側）のケース構成部材２９ａの側壁の上下方向中途部に亘って形成された切欠き開口部４２が形成されている。
錠ケース２９の前部側左右側壁の上下方向中途部には、前後方向に長い長孔からなるガイド孔４３が左右方向貫通状に形成されている。
他方のケース構成部材２９ａの側壁内面には、側面視で前記切欠き開口部４２の前側で且つガイド孔４３の下側に位置すると共に錠ケース２９の前端から中途部にわたる長さに形成された溝形成部４４が別体で形成されて他方のケース構成部材２９ａ内面に固着されており（又は、他方のケース構成部材２９ａに一体形成されており）、この溝形成部４４の側面には、ガイド溝４５が形成され、このガイド溝４５は後部側が前後方向直線状に形成され、前部側が前方に向かうに従って下方に移行する傾斜状に形成されており、このガイド溝４５の下面側が後述する被ガイド部４７をガイドするガイド部４６とされており、このガイド部４６は前後方向直線状の後部側の直線部４６ａと、前方に向かうに従って下方に移行する傾斜状の前部側の傾斜部４６ｂとから構成されている。
【００２１】
スライド部材３０は、錠ケース２９内の左右一方側（右側のケース構成部材２９ｂ側）に配置されており、錠ケース２９の前端側から後端側に亘る長さに形成されている。
このスライド部材３０は、前部側の本体部４８と、後部側のバネ受部４９と、これら本体部４８とバネ受部４９とを連結する連結部５０とから主構成されている。
スライド部材３０の本体部４８の右側面は錠ケース２９内面に沿う形状とされ、左側面は平坦面に形成されており、該本体部４８の後部側は錠ケース２９内の上下方向にわたる幅に形成されていてスライド部材３０が前後に傾かないようになっており、前後方向中途部から前端にかけては下端から上下方向中途部にわたる幅に形成されており、該本体部４８の前端側は前記開口部３６内に位置している。
【００２２】
このスライド部材３０の本体部４８の前後方向中途部には枢軸５１が左右方向貫通状に設けられており、この枢軸５１の左右両側の小径軸部５１ａが錠ケース２９に設けられた前記ガイド孔４３に挿入されており、このガイド孔４３の前後長さの範囲でスライド部材３０が前後移動自在とされていると共に、スライド部材３０の本体部４８前部が錠ケース２９から出退自在とされている。
スライド部材３０のバネ受部４９及び連結部５０は錠ケース２９の支持壁３８の上側に配置され、バネ受部４９は錠ケース２９内の左右方向にわたる幅に形成され、連結部５０は錠ケース２９内右端側から左右方向中途部にわたる幅に形成されている。
【００２３】
スライド部材３０のバネ受部４９と錠ケース２９のバネ受け壁３９との間には、コイルバネ（付勢部材）５２が圧縮状に介装されており、このコイルバネ５２の付勢力によりスライド部材３０が後方に付勢されていて、引き戸２を開けた状態でスライド部材３０が錠ケース２９内に収納状とされて保持されている。
一方、本体部４８には、受け装置５に設けられた磁石２１とは異種の磁気を有する磁石５３が内蔵されており、引き戸２を閉めたときに、受け装置５の磁石２１とスライド部材３０の磁石５３とが互いに吸引しあってスライド部材３０が前方移動し、該スライド部材３０の本体部４８前部が錠ケース２９から突出して受け装置５の開口部１８から受け箱１４内に挿入するようになっている。
【００２４】
なお、受け装置５の磁石２１とスライド部材３０の磁石５３とのうち、一方を鉄等の磁性体に代えてもよい。
また、スライド部材３０の本体部４８の後部上部側（枢軸５１の後上方側）には、ピン等からなるバネ掛け部５４が設けられている。
引掛部材３１は、スライド部材３０の本体部４８の側方に隣接して且つ該本体部４８に対して前後方向に沿って配置されており、前端側に受け装置５の被掛合部１５ａに引っ掛けられる鎌状（鉤状）の引掛部３１ａが上を向くように形成されている。
【００２５】
この引掛部材３１の後部側上部には前記枢軸５１が貫通されていて、該枢軸５１の軸心廻りに回動自在に引掛部材３１がスライド部材３０に支持されている（引掛部材３１がスライド部材３０に上下揺動自在に支持されている）。
また、スライド部材３０の後部（枢軸５１の後下方）には、前記ガイド溝４５に嵌合するピン等からなる被ガイド部４７が設けられており、この被ガイド部４７は、引き戸２が開いていてスライド部材３０が錠ケース２９内に収納状とされている場合には、ガイド溝４５の後端側に位置している。
【００２６】
この被ガイド部４７には捩りコイルバネ（付勢部材）５５の一端側が掛止され、この捩りコイルバネ５５の他端はスライド部材３０のバネ掛け部に掛止され、捩りコイルバネ５５のコイル部は枢軸５１に套嵌されており、この捩りコイルバネ５５によって引掛部材３１の後部が下方に付勢されている。
前記構成の引戸錠３において、引き戸２を閉動作させると、スライド部材３０が錠ケース２９から突出するが、このとき、初期においては、被ガイド部４７はガイド部４６の直線部４６ａ上を移動するので、引掛部材３１はスライド部材３０と共に前後方向直線状に移動して錠ケース２９から突出して受け装置５内に挿入され、引掛部材３１（の引掛部３１ａ）が被掛合部１５ａに引っ掛け可能な位置に至る。
【００２７】
そして、引掛部材３１が被掛合部１５ａに引っ掛け可能な位置に至ると、被ガイド部４７がガイド部４６の傾斜部４６ｂにガイドされて引掛部材３１の前部が枢軸５１の軸心廻りに上方に揺動して、引掛部３１ａが被掛合部１５ａに引っ掛けられ、自動的に施錠状態となる。
このとき、捩りコイルバネ５５の付勢力によって引掛部材３１の前記揺動動作が助勢される。
この施錠状態において、引き戸２を開方向に押圧しても、引掛部材３１の引掛部３１ａが被掛合部１５ａに引っ掛かっているので、引き戸２は開くことができない。
【００２８】
錠ケース２９の後部には、錠ケース２９から突出している状態のスライド部材３０を押し戻して引掛部材３１を被掛合部１５ａから外すための押動部材５６が前後方向移動自在に収納されている。
この押動部材５６は、錠ケース２９の支持壁３８下側に配置された操作部５７と、支持壁３８の上方側で且つスライド部材３０の連結部５０の側方に位置していてスライド部材３０のバネ受部４９の下部に接当可能な押圧部５８と、操作部５７の上面左側から支持壁３８前部側の側方を通って上方に延出されて押圧部５８に接続されていて前記操作部５７と押圧部５８とを連結する連結部５９とを有する。
【００２９】
操作部５７と右側のケース構成部材２９ｂの後壁下部４０ｂのバネ受部４１との間には圧縮コイルバネ（付勢部材）６０が介装されており、このコイルバネ６０によって押動部材５６が前方に付勢されており、押動部材５６は、溝形成部４４等に接当して前方移動が規制されている。
この押動部材５６の押圧部５８は、引き戸２が開いた状態において、スライド部材３０のバネ受部４１の下部から前方に離間していて、スライド部材３０の前方移動を許容している。
【００３０】
そして、引き戸２が閉じた状態では、押動部材５６の押圧部５８にスライド部材３０のバネ受部４９の下部が接当しており、この状態で押動部材５６をコイルバネ６０の付勢力に抗して後方に移動させてスライド部材３０を磁石２１，５３の吸引力に抗して後方移動させれば、該スライド部材３０の後方移動に伴って引掛部材３１も後方移動し、前記とは逆の動作によって被ガイド部４７がガイド部４６にガイドされて、引掛部材３１が被掛合部１５ａから外れ、引き戸２を開くことができる。
前記押動部材５６の操作部５７には左右方向に貫通する挿通孔６１が形成されている。
【００３１】
前記解錠レバー２７は、引き戸２の室内外にそれぞれ設けられ、図６及び図７に示すように、それぞれ引き手の手掛け部１１内に配置されている。
各解錠レバー２７の下端内側には、左右方向の軸心を有する枢支部６２が左右方向内方突出状に設けられており、この枢支部６２は引き手６，７に軸心廻りに回動自在に支持されていて、解錠レバー２７が枢支部６２の軸心廻りに前後揺動自在とされている。
また、各解錠レバー２７の上端側は引き手６，７の凹設部９下端側に位置しており、この解錠レバー２７の上端側には上方に開放状の係合溝６３が形成されている。
【００３２】
また、引き手６，７の凹設部９下端側には、枢支部６２の軸心を中心とする円弧状に形成された挿通孔６４が貫通形成され、この左右の挿通孔６４、錠ケース２９の切欠き開口部４２及び押動部材５６の挿通孔６１にはピンからなる連動部材６５が挿通され、この連動部材６５に、各解錠レバー２７の係合溝６３が嵌合されている。
また、解錠レバー２７の非操作状態において、連動部材６５は挿通孔６４の中央部に位置している。
したがって、引き戸２が閉まっている状態で、解錠レバー２７を後方、すなわち引き戸２開方向に揺動させることにより、連動ロッドを介して押動部材５６が後方移動されて引掛部材３１が被掛合部１５ａから外れ、また、そのまま引き戸２を開き方向に移動させることにより、引き戸２を開くことができる。
【００３３】
なお、解錠レバー２７が前後に揺動できるように構成しているのは、錠機構１及び引き手６，７を、引き戸２の開閉方向一端側又は他端側のいずれにも取り付け得るようにするためである。
前記ロック装置２８は、解錠レバー２７を操作不能にロックすることにより、解錠レバー２７によって引戸錠３を解錠操作できないようにするものである。
このロック装置２８は、図７〜図１１に示すように、内側引き手６の凹設部９上部側に設けられており、操作部材６６と、揺動レバー６７と、ロック部材６８とを有し、これらは、カバー部材６９によって覆われている。
【００３４】
カバー部材６９は、内面側に前後一対の取付筒７１が上下に左右方向内方に突出状に設けられ、この取付筒７１の内周側はネジ孔とされており、引き手６にその内面側から挿通されると共に前記取付筒７１に螺合される取付ネジによってカバー部材６９が引き手６に取付固定されている。
また、外側引き手７の凹設部９の上部側にも、同様にしてカバー部材７０が設けられており、両カバー部材６９，７０は解錠レバー２７の上端側をも覆っている。
内側引き手６の上部を覆うカバー部材６９には、矩形状の開口部７２が形成されている。
【００３５】
前記操作部材６６は前記カバー部材６９の内側に配置され、この操作部材６６の内側にロック部材６８が配置され、ロック部材６８の内側に揺動レバー６７が配置されている。
操作部材６６はカバー部材の内面側に設けられた位置規制部等によって上下移動自在に支持され、操作部材６６の外面側にはカバー部材６９の開口部７２を介して突出する撮み６６ａが設けられ、この撮み６６ａを把持して操作部材６６が上下にスライド操作可能とされている。
また、操作部材６６の前端側には、三角形状をした位置決め部７３が設けられ、操作部材６６の前端側と引き手６の凹設部９側面との間には、捩りコイルバネ７４が介装され、この捩りコイルバネ７４の一端側は引き手６の凹設部９側面に接当し、コイル部は引き手に設けられた左右方向の軸心を有する軸部７５に套嵌され、他端側には、前記位置決め部７３に係合する係合部７６が上下２箇所に設けられており、操作部材６６を上下方向にスライド操作して位置決め部７３を上下の係合部７６に選択的に係合させることにより、操作部材６６が上下２位置に位置決め可能とされており、下位側の位置がロック解除位置で、上位側の位置がロック位置とされている。
【００３６】
また、操作部材６６の内側の前部側には、上下方向に形成されたラック７７が設けられている。
揺動レバー６７の内面側にはボス部７８が設けられ、このボス部７８は引き手６を貫通し、該引き手６に左右方向の軸心廻りに回動自在に支持されている。
また、揺動レバー６７の回動軸心に直交する方向の一側には二股状の係合部７９が設けられ、他側には、前記ラック７７に噛み合うピニオン８０が回動軸心を中心とする円周方向所定範囲で設けられている。
【００３７】
また、ロック部材６８の内面側には、上下一対のガイドピン８１が設けられ、このガイドピン８１は引き手６に形成された上下方向に長いガイド孔８２に挿通されており、これによってロック部材６８が上下方向移動自在に支持されている。
また、ロック部材６８の下端側には、前記解錠レバー２７の上端側の係合溝６３に嵌まるロック部８３が設けられている。
また、ロック部材６８の内面側には、前記揺動レバー６７の係合部７９に係合する係合ピン８４が設けられている。
【００３８】
前記構成のロック装置２８にあっては、図１０及び図１１（ａ）に示すように、操作部材６６が下位側のロック解除位置にあるときには、揺動レバー６７の係合部７９が後上方を向いており、ロック部材６８はロック部８３が解錠レバー２７の係合溝６３から上方に離脱した位置にある。
この状態から、操作部材６６を上方にスライドさせて上位側のロック位置にすると、図１１（ｂ）に示すように、ラック７７がピニオン８０に噛合して揺動レバー６７の係合部７９が下方側に揺動するように揺動レバー６７が回動し、係合ピン８４を介してロック部材６８が下方移動してロック部８３が解錠レバー２７の係合溝６３に嵌まり、解錠レバー２７が前後揺動操作不能にロックされるようになっている。
【００３９】
図６（ｂ）及び図７に示すように、外側引き手７のカバー部材７０には、表示窓８５が設けられていると共に、この表示窓８５の下側に位置する挿通孔８６が形成されている。
また、この外側引き手７と、これを覆うカバー部材７０との間には、引き手７に左右方向の軸心廻りに回動自在に支持された円板部材８７が介装されており、この円板部材８７の左右方向外側には、カバー部材７０に形成された挿通孔８６を挿通する操作部８８が設けられこの操作部８８には、コイン等が係合可能な溝部８９が形成されている。
また、前記円板部材８７の左右方向内側には円柱部材９０が設けられ、この円柱部材９０は接続部材を介してロック装置２８の揺動レバー６７のボス部７８に一体回動可能に接続されている。
【００４０】
したがって、操作部８８の溝部８９にコイン等を嵌めて回動させることにより揺動レバー６７を回動操作でき、外側からロック装置２８のロックを解除できるように構成されている。
また、円板部材８７の左右方向外側の面には、ロック装置２８の操作部材６６をロック位置にしたときに表示窓８５から見える位置と、操作部材６６をロック解除位置にしたときに表示窓８５から見える位置との２位置に対し、各位置で色付けや文字又は図形等を異ならせた２つの表示部が設けられており、引き戸２の室外側においてロック装置２８の操作部材６６がどのような操作状態であるかが表示されるようになっている。
【００４１】
前記構成の実施の形態において、被ガイド部４７が溝で、ガイド部４６がピンであってもよい。
また、前記引掛部材３１を付勢する捩りコイルバネ５５は必ずしも必要ではなく省略してもよく、この場合、溝形成部４４を引掛部材３１に接当させて、該引掛部材３１のガイドとして機能させるようにしてもよい。
また、前記引戸錠３及び受け装置５は、上下逆に取り付けられるように構成してもよい。
【図面の簡単な説明】
【００４２】
【図１】引き戸を開いた状態を示す受け装置及び引戸錠の側面断面図である。
【図２】引き戸を閉じた状態を示す受け装置及び引戸錠の側面断面図である。
【図３】引き戸等の外観図である。
【図４】（ａ）は引戸錠の錠本体２６の正面図、（ｂ）は同側面図である。
【図５】（ａ）は図１のＡ−Ａ線矢示断面図、（ｂ）は図１のＢ−Ｂ線矢示断面図、（ｃ）は図１のＣ−Ｃ線矢示断面図である。
【図６】引き手の正面図である。
【図７】引き手取付部分の断面図である。
【図８】内側引き手の上部側部分の断面図である。
【図９】内側引き手の上部側部分の平面断面の図である。
【図１０】ロック機構の正面図である。
【図１１】（ａ）はロック機構の非ロック状態を示す、（ｂ）の図である。
【符号の説明】
【００４３】
２    引き戸
３    引戸錠
４    戸枠
６    引き手
７    引き手
１５ａ  被掛合部
２７    解錠レバー
３０    スライド部材
３１    引掛部材
４６    ガイド部
４６ａ  直線部
４６ｂ  傾斜部
４７    被ガイド部
【図１】
2005163501.tif 000003
【図２】
2005163501.tif 000004
【図３】
2005163501.tif 000005
【図４】
2005163501.tif 000006
【図５】
2005163501.tif 000007
【図６】
2005163501.tif 000008
【図７】
2005163501.tif 000009
【図８】
2005163501.tif 000010
【図９】
2005163501.tif 000011
【図１０】
2005163501.tif 000012
【図１１】
2005163501.tif 000013